(57)【要約】【課題】  現場でも正確な位置で切断を行うことが可能な、角型電線管、角型電線管の接続構造、管路構造の長さ調整方法、角型電線管の切断方法を提供する。【解決手段】  管体９の軸方向に対する小径部５の略中央部に、一対の突部１５が形成される。また、管体９の軸方向断面において、突部１５の間には溝が形成される。すなわち、それぞれの小径部５の管軸方向の略中央に、外周方向に突出する２つの突部１５と、突部１５の間の中央に溝が形成されている。角型電線管１を切断する際には、刃物１９の先端を溝１７の位置に合わせる。したがって、切断位置を正確に把握することができる。この際、溝１７の両側には突部１５が設けられるため、刃物１９の先端位置がずれることがない。【選択図】図５
2018174637.tif 000002
【特許請求の範囲】
【請求項１】
管軸方向に複数の大径部と小径部が交互に形成された電線管であって、
電線管の両端には、接続部として雌型嵌合部と雄型嵌合部とが形成され、
前記雄型嵌合部は、前記雌型嵌合部に差し込んで接続することが可能な形状であり、
前記大径部の断面形状が略正方形状で、前記小径部の断面形状が円形状に形成され、
それぞれの前記小径部の管軸方向の略中央に、管軸方向に略対称に形成された外周方向に突出する２つの突部と、前記突部の間の中央に溝が形成されていることを特徴とする角型電線管。
【請求項２】
管軸方向の断面において、前記突部は、管軸に対して７５°〜９０°の範囲で互いに対向して起立し、前記溝の底部は略Ｕ字状に形成されることを特徴とする請求項１記載の角型電線管。
【請求項３】
管軸方向に複数の大径部と小径部が交互に形成された電線管であって、
前記大径部の断面形状が略正方形状で、前記小径部の断面形状が円形状に形成され、
それぞれの前記小径部の管軸方向の略中央に、管軸方向に略対称に形成された、外周方向に突出する２つの突部と、前記突部の間の中央に溝が形成されたものであり、前記電線管は溝部で管軸方向に略垂直に切断され、
電線管の一方の端部には、接続部として雌型嵌合部または雄型嵌合部とが形成され、
電線管の他方の端部は、前記小径部であって、前記小径部の端部に一つの前記突部が設けられ、管軸方向に対する端部の前記小径部の長さは、他の部位の前記小径部の長さの略１／２であることを特徴とする角型電線管。
【請求項４】
請求項１または請求項２に記載の角型電線管を２個用い、
一の前記角型電線管の前記雄型嵌合部と、他の前記角型電線管の前記雌型嵌合部を嵌合させて接続することを特徴とする角型電線管の接続構造。
【請求項５】
請求項１または請求項２に記載の角型電線管を複数個用い、雄型嵌合部と雌型嵌合部とを繰り返し嵌合させて、接続することを特徴とする角型電線管の接続構造。
【請求項６】
請求項１に記載の角型電線管の前記雌型嵌合部に、一方の端部に接続部として雄型嵌合部が形成され、他方の端部に小径部の所定位置で切断された角型電線管を接続することで、一方の端部に雄型嵌合部が形成され、他方の端部に切断された小径部が形成されることを特徴とする角型電線管の接続構造。
【請求項７】
前記角型電線管の接続構造の一部の前記雌型嵌合部に、一方の端部に接続部として雄型嵌合部が形成され、他方の端部に小径部の所定位置で切断された角型電線管を接続することで、一方の端部に雄型嵌合部が形成され、他方の端部に切断された小径部が形成されることを特徴とする請求項５に記載の角型電線管の接続構造。
【請求項８】
前記角型電線管の接続構造同士を、それぞれの接続構造の前記小径部同士を接続することで、管路の長さ調整が可能であることを特徴とする請求項７記載の角型電線管の接続構造。
【請求項９】
請求項３に記載の角型電線管を２個用い、前記小径部の所定位置で切断された前記角型電線管の端部の前記小径部同士を対向させて、前記小径部同士が管継手で接続されることを特徴とする角型電線管の接続構造。
【請求項１０】
前記管継手は、２つの部材を対向させて嵌合させることで、前記小径部の切断部位から、前記大径部に、前記角型電線管の断面の最表面を囲う形状に形成されることを特徴とする請求項９記載の角型電線管の接続構造。
【請求項１１】
前記管継手が、前記小径部の切断部位から、前記大径部、前記小径部、前記大径部の順に、それぞれ対向配置される前記各部位を内装可能な略矩形状の筒状部材内に、前記切断部位から遠い側に支持されたばね性を有する係止片を、前記切断部位から近い側の前記大径部の側面に当接させる機構を設けることを特徴とする請求項９記載の角型電線管の接続構造。
【請求項１２】
前記角型電線管の端部の前記小径部同士を対向させて、接続させる前記管継手において、前記角型電線管の小径部同士が対向して収納される前記管継手の収納部の長さは、前記角型電線管の前記小径部の長さに等しくすることを特徴とする請求項９から請求項１１のいずれかに記載の角型電線管の接続構造。
【請求項１３】
請求項１または請求項２に記載の角型電線管を複数個用い、一部の前記角型電線管を、前記溝で切断して接続することを特徴とする管路構造の長さ調整方法。
【請求項１４】
管軸方向に複数の大径部と小径部が交互に形成された電線管の両端に、接続部として雌型嵌合部と雄型嵌合部とが形成され、
前記雄型嵌合部は、前記雌型嵌合部に差し込んで接続することが可能な形状であり、
前記大径部の断面形状が略正方形状で、前記小径部の断面形状が円形状に形成され、
それぞれの前記小径部の管軸方向の略中央に、管軸方向に略対称に形成された外周方向に突出する２つの突部と、前記突部の間の中央に溝が形成され、前記溝で、角型電線管を切断することを特徴とする角型電線管の切断方法。
【発明の詳細な説明】
【技術分野】
【０００１】
本発明は、電線を保護するための角型電線管、角型電線管の接続構造、管路構造の長さ調整方法、角型電線管の切断方法に関する。
【背景技術】
【０００２】
例えば、地中埋設用の電線保護管として、断面が円形の丸型電線管と矩形断面を有する角型電線管が提案されている。これまでは、多くの場合、丸型電線管が用いられていたが、工事の際に、電線管の敷設領域が狭いトンネルなどに用いる電線管としては、角型断面を有する角型電線管が用いられていた。角型電線管は、可撓性を付与するため、角型断面と円形断面が交互に形成されている、所定長さの波付け電線管である。
【０００３】
ここで、丸型電線管は、断面が円形のため、電線管同士を相互に所定間隔を空けて埋設されることが多かった。今後、都市景観や災害時の電柱の倒壊防止あるいは、送電容量の増加等に対応するため、都市部の既設道路の無電柱化の促進する方針が国土交通省により提案され、敷設作業にも優れ、強度が高い角型波付き地中埋設電線管の増設が期待されている。
【０００４】
このような角型電線管としては、例えば、光ファイバーケーブルや電力線等を収容保護するケーブル保護管であって、環状または螺旋状の凹凸状に形成され、該凹凸の凸部の断面形状が方形状で凹部の断面形状が円形状に形成されているケーブル保護管が提案されている（特許文献１）。
【０００５】
特許文献１では、方形状の凸部の各面は平行配管や収束配管時に密着配置できる面に形成され、管の内部がケーブル収容用空間となる。また、ケーブル保護管の凹部が、管内において円形リブとして突出し、ケーブル挿通時のケーブル支持リブとなる。
【０００６】
また、光ファイバーケーブルや電力線等を収容保護するケーブル保護管であって、管軸方向において断面方形壁部分と断面円形壁部分とが交互に配設形成されている管体が提案されている（特許文献２）。
【０００７】
特許文献２の合成樹脂製波形管は、断面円形壁部分が、その幅方向中央部分に断面コの字形の環状突条部を備える。
【先行技術文献】
【特許文献】
【０００８】
【特許文献１】特開２０００−１７２２３３号公報
【特許文献２】特開平１１−３５１４６１号公報
【発明の概要】
【発明が解決しようとする課題】
【０００９】
従来の角型電線管は、例えば所定の間隔で配置されたハンドホール間に配置される。このため、ハンドホール同士の間に管路構造を構築するため、複数本の角型電線管が接続されて使用される。しかし、ハンドホール同士の間隔は、道路の状況により異なるため、必ずしも角型電線管の長さの整数倍となるわけではない。このため、少なくとも一部の角型電線管については、長さ調整が必要となる。
【００１０】
角型電線管の長さ調整は、その一部を切断することで行われる。角型の大径部と円形の小径部とが交互に形成される角型電線管を切断して用いる場合には、通常、円形の小径部が切断されて使用される。角型電線管を切断した後、対向する角型電線管の小径部同士を接続することで、角型電線管による管路構造を所望の長さに調整することができる。
【００１１】
しかし、小径部において角型電線管を切断する際には、切断される部位の目印がないと、切断位置を一定にすることが困難である。例えば、本来は、小径部の略中央を切断すべきところ、中央からずれた位置で切断され、切断後の小径部長さが長すぎると、当該切断部同士を突き合せて管継手で接続する際、小径部が互いに長すぎて、管継手の内部で干渉するおそれがある。また、切断後の小径部長さが短すぎると、当該切断部同士を突き合せて管継手で接続する際、止水性等が悪くなるおそれがある。
【００１２】
また、仮に、切断位置を特定できたとしても、切断の際に、刃物が滑って斜めに角型電線管が切断される場合がある。特に、雨天の場合などには角型電線管が濡れるため、切断時に角型電線管や刃物が滑りやすくなる。このため、角型電線管が所定位置で切断されず、また、斜めに切断されやすい。このように、斜めに切断された角型電線管同士を接続しようとすると、管継手内の角型電線管の端部同士の位置調整がうまくできずに、角型管継手での接続ができないことがある。
【００１３】
しかし、工場などであらかじめ長さ調整を行った角型電線管を現場に搬入して使用すると、現場の状況が図面通りでない場合の誤差や、施工誤差の累積等の影響を吸収するために、現場で所望の長さに調整することが困難である。したがって、現場において、管路構造の構築場所の誤差や、施工誤差、電線管長さのバラつきなどに対応することができない。
【００１４】
本発明は、このような問題に鑑みてなされたもので、現場でも正確な位置で切断を行うことが可能な、角型電線管、角型電線管の接続構造、管路構造の長さ調整方法、角型電線管の切断方法を提供することを目的とする。
【課題を解決するための手段】
【００１５】
前述した目的を達するために第１の発明は、管軸方向に複数の大径部と小径部が交互に形成された電線管であって、電線管の両端には、接続部として雌型嵌合部と雄型嵌合部とが形成され、前記雄型嵌合部は、前記雌型嵌合部に差し込んで接続することが可能な形状であり、前記大径部の断面形状が略正方形状で、前記小径部の断面形状が円形状に形成され、それぞれの前記小径部の管軸方向の略中央に、管軸方向に略対称に形成された外周方向に突出する２つの突部と、前記突部の間の中央に溝が形成されていることを特徴とする角型電線管である。
【００１６】
管軸方向の断面において、前記突部は、管軸に対して７５°〜９０°の範囲で互いに対向して起立し、前記溝の底部は略Ｕ字状に形成されてもよい。
【００１７】
また、第１の発明は、管軸方向に複数の大径部と小径部が交互に形成された電線管であって、前記大径部の断面形状が略正方形状で、前記小径部の断面形状が円形状に形成され、それぞれの前記小径部の管軸方向の略中央に、管軸方向に略対称に形成された外周方向に突出する２つの突部と、前記突部の間の中央に溝が形成されたものであり、前記電線管は溝部で管軸方向に略垂直に切断され、電線管の一方の端部には、接続部として雌型嵌合部または雄型嵌合部とが形成され、電線管の他方の端部は、前記小径部であって、前記小径部の端部に一つの前記突部が設けられ、管軸方向に対する端部の前記小径部の長さは、他の部位の前記小径部の長さの略１／２であることを特徴とする角型電線管である。
【００１８】
第１の発明によれば、略正方形状の大径部を設けることで、角型電線管を積み上げた際に、角型電線管を安定して配列することができる。また、角型電線管の軸方向に対する小径部の略中央部に、一対の突部が管軸方向に略対称に形成され、突部の間に溝形状を形成することで、溝に沿って刃物を使用することができる。このため、切断位置を容易に把握することができるとともに、切断位置がずれにくいため、角型電線管を容易に精度よく切断することができる。
【００１９】
また、管軸方向の断面において、管軸に対する突部の側面の角度を適正な角度で互いに対向して起立させることで、刃物を溝部に当てる際に、効率よくガイドとしての機能を発揮させることができる。
【００２０】
なお、このようにして、溝で切断した角型電線管は、一方の端部にのみ雄型嵌合部または雌型嵌合部が形成され、他方の端部は切断された小径部が形成される。しかし、このように切断された一対の角型電線管であっても、小径部同士を対向させて管継手を用いることで接続して利用することができる。
【００２１】
第２の発明は、第１の発明にかかる角型電線管を２個用い、一の前記角型電線管の前記雄型嵌合部と、他の前記角型電線管の前記雌型嵌合部を嵌合させて接続することを特徴とする角型電線管の接続構造である。
【００２２】
また、第１の発明に係る角型電線管を複数個用い、雄型嵌合部と雌型嵌合部とを繰り返し嵌合させて、接続することを特徴とする角型電線管の接続構造とすることもできる。
【００２３】
また、第１の発明にかかる角型電線管を複数個用い、角型電線管の端部の前記小径部同士を対向させて、管継手で接続されることを特徴とする角型電線管の接続構造であってもよい。
【００２４】
このようにすることで、複数の角型電線管のそれぞれの雄型嵌合部と雌型嵌合部とを互いに嵌合させて接続することで、所望の長さの管路構造を形成することができる。ここで、複数の角型電線管のそれぞれの雄型嵌合部と雌型嵌合部とを互いに嵌合させて繰り返し接続した角型電線管の接続構造が得られる。
【００２５】
また、第１の発明の一方の端部に雄型嵌合部が形成され、他方の端部に雌側嵌合部が形成された角型電線管の雌型嵌合部に、一方の端部に接続部として雄型嵌合部が形成され、他方の端部に小径部の所定位置で切断された角型電線管を接続することで、一方の端部に雄型嵌合部が形成され、他方の端部に切断された小径部が形成された角型電線管の接続構造であってもよい。
【００２６】
この場合には、例えば、角型電線管の接続構造の端部の雌型嵌合部に、端部が小径部で切断された角型電線管の雄型嵌合部を接続したものを用いることもできる。従って、このため、端部が小径部で切断された角型電線管を含む接続構造を得ることができる。
【００２７】
また、一方の端部に雄型嵌合部が形成され、他方の端部に雌側嵌合部が形成された電線管の代わりに、これらが複数回繰り返して形成された接続構造の雌型嵌合部に、一方の端部に接続部として雄型嵌合部が形成され、他方の端部に小径部の所定位置で切断された角型電線管を接続することで、一方の端部に雄型嵌合部が形成され、他方の端部に切断された小径部が形成される角型電線管の接続構造であってもよい。
【００２８】
このようにすることで、角型電線管を小径部で切断した場合には、小径部同士を対向させて、小径部同士を接続することが可能な管継手を用いることで、容易に所望の長さの管路構造を形成することができる。ここで、小径部同士を接続することが可能な管継手を用いれば、長さの異なる所定長さの一方の端部に雄型嵌合部が形成され、他方の端部に小径部が形成される角型電線管の接続構造同士を接続することができる。
【００２９】
また、角型電線管を２個用い、小径部の所定位置で切断された角型電線管の端部の小径部同士を対向させて、前記小径部同士が管継手で接続される角型電線管の接続構造が得られる。ここで、予め所定長さに切断された角型電線管の小径部同士を接続し、前記小径部の切断位置を調整することで、管路の長さが調整された接続構造であってもよい。
【００３０】
ここで、角型電線管の接続構造において、角型電線管の前記小径部同士を接続する管継手が、２つの部材を対向させて嵌合させることで、前記小径部の切断部位から、大径部の、電線管の断面の最表面を囲う構造を内装する内断面形状に形成される管継手を用いた角型電線管の接続構造とすることができる。
【００３１】
さらに、角型電線管の接続構造は、角型電線管の前記小径部同士を接続する管継手が、前記小径部の切断部位から、大径部、小径部、大径部の順に、それぞれ対向配置される前記各部位を内装可能な略矩形状の筒状部材内に、前記切断部位から遠い側に支持されたばね性を有する係止片を、前記切断部位から近い側の大径部側面に当接させる機構を設ける角型電線管の接続構造であってもよい。
【００３２】
角型電線管の接続構造において、角型電線管の端部の小径部同士を対向させて、接続される管継手の小径部同士が対向して収納される収納部の長さは、角型電線管の小径部の長さに等しくすることができる。このようにすることで、管継手で接続することにより接続した電線管の全体の長さは、両端の雄型嵌合部や雌型嵌合部を除いた接続構造の長さは、電線管の大径部と小径部の整数倍を組み合わせた長さの調整を行うことができる。
【００３３】
第３の発明は、第１の発明にかかる角型電線管を複数個用い、一部の前記角型電線管を、前記溝で切断して接続することを特徴とする管路構造の長さ調整方法である。
【００３４】
第３の発明によれば、角型電線管を溝部で切断して接続するため、管路構造の長さを、容易に任意の長さに調整することができる。
【００３５】
第４の発明は、管軸方向に複数の大径部と小径部が交互に形成された電線管の両端に、接続部として雌型嵌合部と雄型嵌合部とが形成され、前記雄型嵌合部は、前記雌型嵌合部に差し込んで接続することが可能な形状であり、前記大径部の断面形状が略正方形状で、前記小径部の断面形状が円形状に形成され、前記それぞれの前記小径部の管軸方向の略中央に、管軸方向に対称に形成された外周方向に突出する２つの突部と、前記突部の間の中央に溝が形成され、前記溝で、角型電線管を切断することを特徴とする角型電線管の切断方法である。
【００３６】
第４の発明によれば、角型電線管の溝の位置で切断を行うことで、切断位置を容易に把握することができるとともに、溝に刃物を当てて切断するため、切断部が斜めにずれたりすることがない。また、溝で切断された小径部同士を対向させて管継手で接続して接続構造を作る場合には、接続構造の長さを、大径部と小径部を所定数組み合わせた長さで調整することができる。
【発明の効果】
【００３７】
本発明によれば、現場でも正確な位置で切断を行うことが可能な、角型電線管、角型電線管の接続構造、管路構造の長さ調整方法、角型電線管の切断方法を提供することができる。
【図面の簡単な説明】
【００３８】
【図１】角型電線管１を示す図。
【図２】（ａ）は、図１のＡ−Ａ線断面図、（ｂ）は、図１のＢ−Ｂ線断面図。
【図３】（ａ）は、図１のＣ部拡大図、（ｂ）は、（ａ）のＤ部拡大図。
【図４】（ａ）、（ｂ）は、角型電線管１同士の接続方法を示す図。
【図５】（ａ）は、角型電線管１の切断方法を示す図、（ｂ）は、（ａ）の小径部５の拡大図。
【図６】（ａ）は、切断した角型電線管１同士を対向させた状態を示す図、（ｂ）は、（ａ）の小径部５の拡大図。
【図７】接続構造１０ｄを示す図。
【図８】（ａ）、（ｂ）は、切断された角型電線管１同士の接続方法を示す図。
【図９】（ａ）、（ｂ）は、切断された角型電線管１同士の他の接続方法を示す図。
【図１０】（ａ）、（ｂ）は、切断された角型電線管１同士の他の接続方法を示す図。
【図１１】図１０（ｂ）のＪ−Ｊ線断面図。
【発明を実施するための形態】
【００３９】
以下、図面を参照しながら、本発明の実施形態にかかる角型電線管１ついて説明する。図１は、角型電線管１を示す側面図である。また、図２（ａ）は、角型電線管１の径方向断面図であって、図１のＡ−Ａ線断面図である。また、図２（ｂ）は、角型電線管１の径方向断面図であって、図１のＢ−Ｂ線断面図である。
【００４０】
角型電線管１は、主に、管体９、雄型嵌合部１１、雌型嵌合部１３等から構成される。角型電線管１は、管体９の一方の端部に雄型嵌合部１１が設けられ、他方の端部に雌型嵌合部１３が設けられる。雄型嵌合部１１と雌型嵌合部１３は、他の角型電線管１との接続部となる。すなわち、角型電線管１の両端には、接続部として雌型嵌合部１３と雄型嵌合部１１とが形成される。また、雄型嵌合部１１と雌型嵌合部１３のいずれかの形状に整合する形状を有し、これと他の管継手との嵌合部とすることもできる。
【００４１】
雄型嵌合部１１は、管体９の一方の端部近傍の外周部に形成される。雄型嵌合部１１は、管体９の先端から順に、リング部材７、止水部材８がそれぞれ設けられる。リング部材７は、例えば、断面略Ｃ字状の部材であって、弾性変形によって縮径可能である。また、リング部材７の外周には、複数の爪が形成され、後述する雌型嵌合部１３の内面突起（図示せず）と係合可能である。
【００４２】
止水部材８は、環状の部材であり、止水部材８の内径は、雄型嵌合部１１における止水部材８の装着部の外径よりも小さい。このため、止水部材８の内面は、雄型嵌合部１１の外面に密着する。また、止水部材８は、雄型嵌合部１１において、径方向の外方に突出する。雄型嵌合部１１を雌型嵌合部１３に挿入した際には、止水部材８の外面が雌型嵌合部１３の内面と接触して、止水性を確保することができる。
【００４３】
止水部材８は、例えば、ゴム製または水膨張部材からなる。止水部材８がゴム製である場合には、例えばエチレンプロピレンゴム（Ｅｔｈｙｌｅｎｅ  Ｐｒｏｐｙｌｅｎｅ  Ｒｕｂｂｅｒ）を適用可能である。エチレンプロピレンゴムは、エチレンとプロピレンの共重合によって得られる合成ゴムの一種である。硫黄化合物による加硫を可能にするため、エチレンプロピレンゴムに少量のジエンモノマーを共重合したＥＰＤＭゴムとして用いられることが多い。なお、この他に、ＳＢＲ、ＣＲ、ＮＢＲ、ＡＣＭゴムやＥＰＤＭ／ＰＰの動的架橋エラストマー等を使用することもできる。
【００４４】
また、止水部材８が水膨張部材からなる場合には、例えば、ポリエステル繊維とポリアクリル酸ナトリウムの繊維からなる不織布を用いることができる。この場合、ポリエステル繊維とポリアクリル酸ナトリウムの割合は、両者の合計を１００質量％とした場合に、ポリアクリル酸ナトリウム量は、３０％から７０％であり、望ましくは５０から７０質量％である。
【００４５】
ここで、水膨張性不織布には、ポリエステル繊維とポリアクリル酸ナトリウムの繊維の両者の合計に対して、低融点のバインダー樹脂を１〜１０％の範囲で使用することが望ましく、さらに望ましくは、１〜５％である。例えば、バインダーとしては、低融点ポリエステルを用いることができ、不織布の成形はニードルパンチ法により行うことができる。
【００４６】
雌型嵌合部１３は、内面にリング部材７と係合可能な突起（図示せず）を有する。雄型嵌合部１１を雌型嵌合部１３に挿入すると、雌型嵌合部１３内部の突起によって、リング部材７が管軸中心方向に押圧されて縮径する。さらに雄型嵌合部１１を雌型嵌合部１３に押し込むと、リング部材７が突起を超え、突起よりも拡径された部位に移動する。したがって、リング部材の変形が復元して拡径し、リング部材７の爪部と雌型嵌合部内面の突起とが嵌合する。以上により、両者が接続される。
【００４７】
なお、本発明において、雄型嵌合部１１および雌型嵌合部１３の構造は特に限定されない。雄型嵌合部１１が、雌型嵌合部１３に差し込んで接続することが可能な形状であれば、公知の如何なる構造も適用可能である。
【００４８】
管体９は、雄型嵌合部１１と雌型嵌合部１３とで挟まれる。管体９は、可撓性を有する樹脂管である。管体９の材質は問わないが、例えば、高密度ポリエチレン製であることが望ましい。
【００４９】
高密度ポリエチレンは、繰り返し単位のエチレンが分岐をほとんど持たず直鎖状に結合した、結晶性の熱可塑性樹脂に属するポリエチレンで、比較的に硬い性質から硬質ポリエチレンとも呼ばれる。旧ＪＩＳ  Ｋ６７４８：１９９５において高密度ポリエチレンとは密度０．９４２以上のポリエチレンと定義されている。高密度ポリエチレンのコポリマーは、通常ではエチレンモノマー１０００に対し１〜５の分岐を持つ結晶性樹脂である。また、比重０．９７のホモポリマーの結晶化度は７５％を越え、剛性が高く、引張り強さや衝撃強さ、耐寒性に優れ、−８０℃の低温下まで機械的特性が低下しないことが知られている。また、分子内の分極が少ないため、接着や印刷加工性に劣るが、絶縁性に優れるという性質を持つ。
【００５０】
管体９の外周面には、管軸方向に複数の大径部３と小径部５が交互に形成される。図２（ａ）に示すように、大径部３は、断面形状が略正方形状である。また、図２（ｂ）に示すように、小径部５は、断面形状が円形状に形成される。なお、大径部３の径（１辺の長さ）は、小径部５における外径よりも大きい。
【００５１】
このように、略正方形状の大径部３を設けることで、角型電線管１を積み上げた際に、角型電線管１を安定して配列することができる。なお、雌型嵌合部１３の最大外径は、大径部３の径（１辺の長さ）よりも小さい。したがって、雌型嵌合部１３側の端部から見た際に、雌型嵌合部１３は、大径部３の外周にはみ出すことがない。したがって、大径部３同士を接触させて角型電線管１を積み上げた際に、雌型嵌合部１３が、隣り合う角型電線管１と干渉することがない。
【００５２】
図３（ａ）は、図１のＣ部における軸方向の断面図である。図３（ａ）に示すように、管体９の軸方向に対する小径部５の略中央部に、一対の突部１５が形成される。また、管体９の軸方向断面において、突部１５の間には溝１７が形成される。すなわち、それぞれの小径部５の管軸方向の略中央に、管軸方向に略対称に形成された外周方向に突出する２つの突部１５と、突部１５の間の中央に溝１７が形成されている。
【００５３】
なお、突部１５および溝１７に対応する部位において、管体９（小径部５）の内面側には突起などは形成されず、軸方向断面において、突部１５および溝１７に対応する位置の管体９の内面は、突部１５は、僅かに径が大きくなるため、管体の成形時の材料移動の関係で、突部１５の位置に対応する内面が、わずかに径が大きくなるように、管体９の内面にへこみが形成される。また、溝１７の表面は小径部とほぼ同様の寸法に形成されるため、溝１７の裏面は突部１５が形成されていない通常の小径部と同様の形状に形成される。このように、管体９の内面側に突起などが形成されないため、角型電線管１の内部に電線等を挿通する際に、電線挿通の妨げとなることがない。
【００５４】
また、角型電線管１は、例えば、ブロー成形によって形成される。この際、溝１７を造ることにより、ブロー成形時の材料の肉厚分布を考慮すると、突部１５の成形により、前記のように、ブロー成形時の材料移動により、突部１５の裏面は窪んで形成され、溝１７の底の部分が両側壁により案内されて切断され、さらに溝１７の裏面は僅かにへこんで形成されるため、バリが形成されないか、形成されたとしても軽微である。また、万一バリが形成されたとしても、突部１５間の溝１７を切断するため、管軸方向にバリが突出し難く、ケーブル表面を傷付けにくい。
【００５５】
このように、突部１５の間に溝１７を形成することで、溝１７に沿って刃物を使用することができ、管体９の切断が容易である。また、切断位置がずれにくいため、管体９を精度よく切断することができる。なお、角型電線管１の切断方法については後述する。
【００５６】
図３（ｂ）は、図３（ａ）のＤ部の拡大図である。図３（ｂ）に示すように、管軸方向の断面において、突部１５は、溝１７を挟んで互いに対向する。管軸方向（図中Ｅ）に対する、突部１５の互いの対向面のそれぞれの角度（Ｆ１、Ｆ２）は、７５°〜９０°の範囲で起立することが望ましい。すなわち、互いに対向する突部１５同士の角度は、０〜３０°となる。また、溝１７は、底部が略Ｕ字状の形状である。このような突部角度および溝形状とすることで、突部１５が刃物のガイドとして効率よく機能し、切断が容易となる。
【００５７】
次に、角型電線管１の接続構造について説明する。前述したように、角型電線管１は、その両端にそれぞれ、雄型嵌合部１１と雌型嵌合部１３とを有する。まず、図４（ａ）に示すように、一対の角型電線管１の互いの雄型嵌合部１１と雌型嵌合部１３とを対向させる。
【００５８】
この状態から、図４（ｂ）に示すように、雄型嵌合部１１を雌型嵌合部１３へ挿入して接続することで、前述したように、雄型嵌合部１１と雌型嵌合部１３とを接続することができる。すなわち、角型電線管１を２個用い、一の角型電線管１の雄型嵌合部１１と、他の角型電線管１の雌型嵌合部１３とを嵌合させて接続することで、複数の角型電線管１同士の接続構造１０を構築することができる。
【００５９】
なお、角型電線管１を２個用いた角型電線管１の接続構造１０に対し、角型電線管１を複数個用い、雄型嵌合部１１と雌型嵌合部１３とを繰り返し嵌合させて、接続することもできる。
【００６０】
なお、角型電線管１は、ハンドホールに設けられるベルブロックと接続されてもよい。この場合、ベルブロックは、一方の端部に雄型嵌合部１１が形成され、他方の端部がベルマウス形状であるか、あるいはベルブロックに雌型嵌合部１３が形成されても良い。角型電線管１とベルブロックとを接続することで、複数のベルブロックが配置されたハンドホールに対して、角型電線管１を接続することができる。
【００６１】
ハンドホールは、例えばコンクリート製の箱型であり、ベルブロックがコンクリートに埋め込まれて配置される。すなわち、コンクリート製のハンドホールの側面には、ベルブロックによって複数の貫通孔が形成される。なお、ハンドホールに接続孔を形成し、接続孔に挿入したベルブロックの外周をモルタルやエポキシパテなどで固めて、ハンドホールにベルブロックを固定してもよい。
【００６２】
ここで、角型電線管１を繰り返し接続して角型電線管１の管路構造を形成する場合には、例えば、向かい合う２つのハンドホールに、雌型嵌合部１３の形状を有するベルブロックを配置する。そして、まず一方のハンドホールのベルブロックに、雄型嵌合部１１を挿入することで、雄型嵌合部１１をハンドホールに固定する。嵌合が終わった角型電線管１の他端の雌型嵌合部１３には、隣り合う、次の角型電線管１の雄型嵌合部１１を接続することで管路を延線していく。
【００６３】
また、この作業と並行して、向かい合うもう一方のハンドホールのベルブロックにも、角型電線管１の雄型嵌合部１１を挿入し接続する。嵌合が終わった角型電線管１の他端の雌型嵌合部１３に、隣り合う、次の角型電線管１の雄型嵌合部１１を接続することで管路を延線していく。この作業を両側のハンドホールから繰り返すと、角型電線管１がラップする部分が生じるため、角型電線管１の長さ調整が必要となる。角型電線管１の長さ調整は、両側から延線してきた角型電線管１の小径部５を切断して接続することで行われる。
【００６４】
すなわち、前述したように、角型電線管１同士を接続して管路構造を形成すると、管路構造の長さが必ずしも角型電線管１の長さの整数倍にはならない。このため、角型電線管１の長さ調整を行う必要がある。この場合には、図５（ａ）に示すように、鋸などの刃物１９によって、角型電線管１を所定の長さに切断する必要がある。
【００６５】
図５（ｂ）は、図５（ａ）の小径部５の拡大断面図である。図５（ｂ）に示すように、角型電線管１を切断する際には、刃物１９の先端を溝１７の位置に合わせる。したがって、切断位置を正確に把握することができる。
【００６６】
ここで、このような突部１５が存在せず、溝１７が形成されていない角型電線管を切断する場合には、切断の案内溝が存在しないことから、切断の際に、刃物が滑って斜めに角型電線管が切断される場合がある。例えば、切断位置が把握できたとしても、その通りにまっすぐに角型電線管を切断することは困難である。
【００６７】
特に、雨天の場合などには角型電線管が濡れるため、切断時に角型電線管や刃物が滑りやすくなるため、角型電線管が所定位置で切断されず、また、斜めに切断されやすい。このように、斜めに切断された角型電線管同士を接続しようとすると、管継手内の角型電線管の端部同士の位置調整がうまくできずに、管継手での接続ができないことがある。このような場合には、切断した角型電線管が無駄になる。
【００６８】
これに対し、角型電線管は、小径部５に対向する２つの突部１５を設け、突部１５の間に溝１７を形成することで、溝１７に沿って刃物１９を使用することができる。このため、切断位置を把握しやすく、また、刃物１９が滑ることを抑制することができる。このため、刃物１９の先端位置が溝１７からずれることがなく、切断位置のずれや斜めに切断されることがない。
【００６９】
なお、刃物１９の厚みに対して、突部１５間の溝１７の幅は、例えば、０．１ｍｍ〜０．２ｍｍ程度クリアランスがあれば良い。この程度のクリアランスであれば、切断位置に誤差が生じても、その誤差はわずかである。このように、一対の突部１５と突部１５の間の溝１７は、切断位置を示すマークとしての機能と、刃物１９で切断する際のずれ止めの機能とを有する。
【００７０】
図６（ａ）は、切断後の角型電線管１を示す図である。角型電線管１を小径部５で切断することで、二つの角型電線管１ａ、１ｂに分離される。角型電線管１ａは、一方の端部に雌型嵌合部１３を有し、他方の端部に切断後の小径部５を有する。角型電線管１ｂは、一方の端部に雄型嵌合部１１を有し、他方の端部に切断後の小径部５を有する。
【００７１】
図６（ｂ）は、図６（ａ）の切断部近傍の拡大断面図である。前述したように、角型電線管１は、それぞれの小径部５の管軸方向の略中央に、外周方向に突出する２つの突部１５と、突部１５の間の中央に溝１７が形成され、溝１７で、角型電線管１が管軸方向に略垂直に切断される。従って、切断後の角型電線管１ａ、１ｂは、共に、一方の端部が小径部５となる。また、端部の小径部５には、それぞれ一つの突部１５が残る。
【００７２】
ここで、溝１７で切断を行うと、切断位置は、小径部５の管軸方向に対する略中央で切断される。したがって、切断部以外の小径部５の幅（軸方向長さであって、図６（ａ）のＧ）に対して、切断部である小径部５の幅（軸方向長さであって、図６（ａ）のＨ）は、略１／２となる。すなわち、角型電線管１ａ、１ｂの一方の端部は、接続部として雌型嵌合部１３または雄型嵌合部１１が形成され、角型電線管１ａ、１ｂの他方の端部は小径部５であって、小径部５の端部に一つの突部１５が設けられ、管軸方向に対する端部の小径部５の長さは、他の部位の小径部５の長さの略１／２となる。ここでは、略１／２と記載するが、管軸方向に対する端部の小径部５の長さは、厳密には切断代が存在するため１／２より僅かに短くなる。
【００７３】
次に、切断後の角型電線管１ａ、１ｂの接続構造について説明する。図７は、一例として、両端にそれぞれ雄型嵌合部１１と雌型嵌合部１３を有する角型電線管１と、切断後の角型電線管１ｂとを接続した接続構造１０ｄを示す図である。角型電線管１ｂは、小径部５で切断されているため、一方の端部に雄型嵌合部１１を有し、他方の端部は切断部となる。
【００７４】
このように、角型電線管１の雌型嵌合部１３に、一方の端部に接続部として雄型嵌合部１１が形成され、他方の端部に小径部５の所定位置で切断された角型電線管１ｂを接続することで、一方の端部に雄型嵌合部１１が形成され、他方の端部に切断された小径部５が形成される角型電線管１、１ｂの接続構造１０ｄを得ることができる。
【００７５】
なお、角型電線管１、１ｂの接続構造１０ｄとしては、前述した、角型電線管１同士の接続構造１０の一部（最端部）の雌型嵌合部１３に角型電線管１ｂを接続してもよい。すなわち、角型電線管１の接続構造１０の一部の雌型嵌合部１３に、一方の端部に接続部として雄型嵌合部１１が形成され、他方の端部に小径部５の所定位置で切断された角型電線管１ｂを接続することで、一方の端部に雄型嵌合部１１が形成され、他方の端部に切断された小径部５が形成された接続構造１０ｄを得ることができる。
【００７６】
なお、切断した角型電線管１ａ、１ｂによって、長さ調整が行われて両者が接続されてもよい。この場合、まず、図８（ａ）に示すように、所定の長さに角型電線管１を切断し、互いの切断端部（小径部５）同士を対向させて配置する。次に、図８（ｂ）に示すように、互いに対向する小径部５同士を、管継手２１によって接続する。以上により、角型電線管１ａ、１ｂの接続構造１０ａを得ることができる。
【００７７】
なお、角型電線管１を２個用い、それぞれの角型電線管１の小径部５の所定位置で切断された角型電線管１ａ同士または角型電線管１ｂ同士の端部の小径部５同士を対向させて、小径部５同士を管継手２１で接続してもよい。すなわち、切断された角型電線管１ａ、１ｂを接続し、一方が雄型嵌合部１１、他方が雌型嵌合部１３としてもよく、または、角型電線管１ａ同志あるいは角型電線管１ｂ同志を接続して、両方が雄型嵌合部１１または雌型嵌合部１３としてもよい。
【００７８】
なお、管継手２１の構造は、特に限定されないが、例えば、図９（ａ）に示すように、係止片２３を有する管継手２１ａを用いることができる。管継手２１ａは、軸方向の略中央が縮径される筒状部材２５からなる。なお、筒状部材２５は、中央の縮径部が略円形であり、その両側の他の部位が略矩形の形状である。
【００７９】
管継手２１ａの矩形断面部には、軸方向の中心に向けて突出する係止片２３が設けられる。係止片２３は、ばね性を有し、軸方向の中心に向かって徐々に内部突出量が大きくなるように形成される。なお、係止片２３は、軸方向中央の縮径部を挟んで略対称な位置にそれぞれ配置される。また、係止片２３は、筒状部材２５の周方向にも複数箇所（例えば少なくとも対向する２カ所）に配置される。
【００８０】
図９（ａ）に示すように、管継手２１ａの両端の開口部から、例えば角型電線管１ａ、１ｂをそれぞれ挿入すると（図中矢印Ｉ）、それぞれの角型電線管１ａ、１ｂの大径部３が、係止片２３と接触する。さらに、管継手２１ａの両端の開口部から、角型電線管１ａ、１ｂさらに押し込むことで、係止片２３が大径部３を乗り越えて、ばね性によって元の状態に戻る。したがって、係止片２３の先端が、それぞれの大径部３の側面と接触して、角型電線管１ａ、１ｂが係止される。
【００８１】
この際、それぞれの角型電線管１ａ、１ｂは、小径部５の切断部位から、大径部３、小径部５、大径部３の順に、それぞれ対向配置される各部位が、略矩形状の筒状部材内に内装される。また、切断部位から遠い側に支持されたばね性を有する係止片２３を、切断部位から近い側の大径部３の側面に当接させる機構によって、角型電線管１ａ、１ｂの接続構造１０ｂを得ることができる。このように接続構造１０ｂを用いれば、角型電線管１ａ、１ｂを遠ざける方向に引抜き力が作用しても、管継手２１ａ内の係止片２３により、それぞれ、角型電線管１ａ、１ｂが支持されるので、管継手２１ａから角型電線管１ａ、１ｂが抜けることがない。
【００８２】
なお、角型電線管１ａ、１ｂの端部の小径部５同士を対向させて、接続させる管継手２１ａにおいて、角型電線管１ａ、１ｂの小径部５同士が対向して収納される管継手２１ａの収納部２６（縮径部）の長さは、角型電線管１ａ、１ｂの小径部５の長さに略等しくすることが望ましい。また、縮径部または矩形断面部には、図示を省略した水膨張部材を配置してもよい。
【００８３】
また、切断された角型電線管１ａ、１ｂの接続には、図１０（ａ）に示すような、管継手２１ｂを用いてもよい。なお、図では角型電線管１ｂを用いた例を説明する。管継手２１ｂは、２分割された半割部材２７によって構成される。半割部材２７は、係合爪および係合部を有し、互いの係合部と係合爪を係合させることで、図１０（ｂ）に示すように、筒状部材２５ａが形成される。
【００８４】
図１１は、図１０（ｂ）のＪ−Ｊ線断面図であり、接続構造１０ｃを示す図である。管継手２１ｂも、筒状部材２５ａは、軸方向の中央部が縮径される。中央の収納部２６は角型電線管１ｂの小径部５が収容可能な円形状であり、その両側には、角型電線管１ｂの大径部３が収容可能なほぼ矩形形状である。
【００８５】
管継手２１ｂの両端部の開口部は、小径部５が貫通する縮径される。開口部のサイズは、管継手２１ｂの大径部３のサイズよりも小さい。このため、管継手２１ｂの両端部の内面に大径部３の側面が接触して、角型電線管１ｂが係止される。このように、管継手２１ｂは、２つの半割部材２７を嵌合させることで、小径部５の切断部位から、大径部３に、角型電線管１ｂの断面の最表面を囲う形状に形成される。
【００８６】
なお、このように角型電線管１を切断して使用すると、例えば、一端が雌型嵌合部１３で、もう一端が小径部５で切断した管が端材として出てくることになる。この端材は捨てずに電線管路を形成する電線管として用いる方が経済的である。このような端材を用いるためには、一端が雄型嵌合部１１でもう一端も雄型嵌合部１１の形状をした管継手を用いることが有効である。
【００８７】
例えば、端部に雌型嵌合部１３を有する角型電線管１ａには、両端に雄型嵌合部１１を有する管継手を接続することで、端部に雄型嵌合部１１を有する角型電線管１ｂとして利用することができる。同様に、端部に雄型嵌合部１１を有する角型電線管１ｂには、両端に雌型嵌合部１３を有する管継手を接続することで、端部に雌型嵌合部１３を有する角型電線管１ａとして利用することができる。
【００８８】
以上のように、角型電線管１を互いに接続して延線し、必要に応じて角型電線管１を切断して長さ調整を行うことで、所望の長さの管路構造を形成することができる。すなわち、本実施形態の角型電線管の切断方法によって、角型電線管１を正確に切断することができる。また、これらを用いた管路構造の長さ調整方法によって、所望の長さの管路構造を構築することができる。
【００８９】
以上、本実施の形態によれば、角型電線管１は、大径部が略正方形状の電線管であるため、角型電線管１を多条多段に積み重ねることができ、コンパクトに配置することができる。このため、角型電線管１の埋設時の土砂の掘り起し量を少なくすることが可能になると共に、一括で埋め戻すことができるため工事の負荷が減少する。この結果、工期の短縮、工事コストの削減を達成することができる。
【００９０】
また、本発明の角型電線管１の接続は、雄型嵌合部１１を雌型嵌合部１３に挿入するだけで、角型電線管１同士を接続することができる。したがって、螺旋溝を有する管継手によって接続する電線管と異なり、例えば、定尺の角型電線管１同士を相互に直接接続することができる。
【００９１】
また、小径部５には、一対の突部１５が形成され、突部１５の間には溝１７が形成される。このため、角型電線管１の長さ調整を行う際に、切断位置を確実に把握することができる。
【００９２】
また、一対の突部１５が、刃物１９のガイドとして機能する。したがって、仮に雨などで角型電線管１や刃物１９が濡れて、滑りやすい状況となっても、確実に溝１７の位置で、角型電線管１を切断することができる。このため、切断部がずれたり、斜めになることを抑制することができる。
【００９３】
このように、角型電線管１を用いれば、角型電線管１を切断するときに切断が安定してできるので、安全に所定長さに切断することが可能である。また、切断部位の長さや形状が安定することから、小径部５同士を管継手で接続する時に、切断部位同士が当接したりして接続できないことがない。さらに、切断時には、バリがほとんど発生しないので、角型電線管１の内部に電線やケーブルを挿入する時に、これらの電線やケーブルを傷つけることがない。
【００９４】
また、切断された小径部５同士は、管継手２１によって接続可能である。また、切断後の端材も、所定の管継手等を用いることで、雄型嵌合部１１または雌型嵌合部１３の接続構造を有する電線管として利用することができる。さらに、これらの小径部５同士を接続した電線管は所定長さの電線管として利用できることから、長さ調整が可能である。
【００９５】
また、溝１７に対応する管体９の内面側には、凸部等が形成されない。このため、電線等を挿通する際に、凸部が電線の挿通の妨げとなることがない。
【００９６】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００９７】
１、１ａ、１ｂ………角型電線管
３………大径部
５………小径部
７………リング部材
８………止水部材
９………管体
１０、１０ａ、１０ｃ、１０ｄ………接続構造
１１………雄型嵌合部
１３………雌型嵌合部
１５………突部
１７………溝
１９………刃物
２１、２１ａ、２１ｂ………管継手
２３………係止片
２５、２５ａ………筒状部材
２６………収納部
２７………半割部材
【図１】
2018174637.tif 000003
【図２】
2018174637.tif 000004
【図３】
2018174637.tif 000005
【図４】
2018174637.tif 000006
【図５】
2018174637.tif 000007
【図６】
2018174637.tif 000008
【図７】
2018174637.tif 000009
【図８】
2018174637.tif 000010
【図９】
2018174637.tif 000011
【図１０】
2018174637.tif 000012
【図１１】
2018174637.tif 000013